(57)【特許請求の範囲】
【請求項１】
横長の金属板で作られた長尺屋根板であって、該長尺屋根板の一方の縁部が折り返されて二枚重ねとなっており、二枚重ねになっている部分の先端が横向き内方に折り曲げられて、ほぼ逆Ｌ字形の横断面を有する吊下部を形成しており、二枚重ねになっている部分の裾縁が延長されて、ほぼＬ字形の横断面を有する取付片部を形成しており、長尺屋根板の他方の縁部が折り立てられ、折り立てられた部分の先端が横向き外方に折り曲げられて、ほぼ逆Ｌ字形の横断面を有する被接部を形成している長尺屋根板において、
前記被接部に、長尺屋根板の長手方向に延び、下方に突出した１又は複数の突出部が設けられていることを特徴とする長尺屋根板。
【請求項２】
前記突出部が、半円形、台形、又は三角形の横断面形状を有していることを特徴とする請求項１に記載の長尺屋根板。
【請求項３】
横葺き屋根の葺き方法であって、
横長の金属板で作られた長尺屋根板であって、該長尺屋根板の一方の縁部が折り返されて二枚重ねとなっており、二枚重ねになっている部分の先端が横向き内方に折り曲げられて、ほぼ逆Ｌ字形の横断面を有する吊下部を形成しており、二枚重ねになっている部分の裾縁が延長されて、ほぼＬ字形の横断面を有する取付片部を形成しており、長尺屋根板の他方の縁部が折り立てられ、折り立てられた部分の先端が横向き外方に折り曲げられて、ほぼ逆Ｌ字形の横断面を有する被接部を形成しており、前記被接部に、長尺屋根板の長手方向に延び、下方に突出した１又は複数の突出部が設けられている長尺屋根板を準備し、
屋根の上に、吊下部が上辺となり被接部が下辺となるように、第１の長尺屋根板を配置し、釘を用いて取付片部を屋根に固定するとともに、被接部に防水テープを貼り、
第２の長尺屋根板を第１の長尺屋根板の上側に置き、第２の長尺屋根板の引掛縁を第１の長尺屋根板の吊下部の先端に引っ掛けた状態で、第２の長尺屋根板を倒して屋根に密着させ、第２の長尺屋根板の取付片部を釘で屋根に固定し、
第２の長尺屋根板の引掛縁を第１の長尺屋根板の吊下部に締め付けることを特徴とする方法。
【発明の詳細な説明】
【０００１】
【発明の属する技術分野】
本発明は一般に、長尺屋根板および横葺き屋根の葺き方法に関する。より詳細には、本発明は、屋根板同士をより強固に連結することができる長尺屋根板および当該屋根板を使用した横葺き屋根の葺き方法に関する。
【０００２】
【従来の技術】
従来、横葺き屋根は、ハゼ締機等の特殊な機器を利用して行うハゼ締め作業によって施工されている。本発明者は、このような葺き作業、特に長尺屋根板同士の連結作業をより容易に且つ短時間で効率的に行うことができるように、葺き作業を簡単かつ容易に実施することができる工夫を施した横葺き屋根の葺き方法および当該方法の施工に用いる長尺屋根板を提案している（特願２０００−３９２８２５号）。
【０００３】
【発明が解決しようとする課題】
本発明は、上述の特願２０００−３９２８２５号に記載された方法および長尺屋根板を改良発展させたものであって、屋根板同士をより強固に連結することができる長尺屋根板および当該屋根板を使用した横葺き屋根の葺き方法を提供するものである。
【０００４】
【課題を解決するための手段】
本願請求項１に記載の長尺屋根板は、被接部に、長尺屋根板の長手方向に延び、下方に突出した１又は複数の突出部が設けられていることを特徴とするものである。
【０００５】
本願請求項２に記載の長尺屋根板は、前記請求項１の長尺屋根板において、前記突出部が、半円形、台形、又は三角形の横断面形状を有していることを特徴とするものである。
【０００６】
本願請求項３に記載の横葺き屋根の葺き方法は、横長の金属板で作られた長尺屋根板であって、該長尺屋根板の一方の縁部が折り返されて二枚重ねとなっており、二枚重ねになっている部分の先端が横向き内方に折り曲げられて、ほぼ逆Ｌ字形の横断面を有する吊下部を形成しており、二枚重ねになっている部分の裾縁が延長されて、ほぼＬ字形の横断面を有する取付片部を形成しており、長尺屋根板の他方の縁部が折り立てられ、折り立てられた部分の先端が横向き外方に折り曲げられて、ほぼ逆Ｌ字形の横断面を有する被接部を形成しており、前記被接部に、長尺屋根板の長手方向に延び、下方に突出した１又は複数の突出部が設けられている長尺屋根板を準備し、屋根の上に、吊下部が上辺となり被接部が下辺となるように、第１の長尺屋根板を配置し、釘を用いて取付片部を屋根に固定するとともに、被接部に防水テープを貼り、第２の長尺屋根板を第１の長尺屋根板の上側に置き、第２の長尺屋根板の引掛縁を第１の長尺屋根板の吊下部の先端に引っ掛けた状態で、第２の長尺屋根板を倒して屋根に密着させ、第２の長尺屋根板の取付片部を釘で屋根に固定し、第２の長尺屋根板の引掛縁を第１の長尺屋根板の吊下部に締め付けることを特徴とするものである。
【０００７】
【発明の実施の形態】
次に図面を参照して、本発明の好ましい実施の形態に係る長尺屋根板について説明する。図１は、本発明の好ましい実施の形態に係る長尺屋根板を示した斜視図である。図１において全体として参照符号１０で示される本発明の好ましい実施の形態に係る長尺屋根板は、所定の寸法を有する横長の金属板で作られている。
【０００８】
長尺屋根板１０は、一方の縁部が折り返されて二枚重ねとなっている。二枚重ねになっている部分１２は、その先端１２ａが横向き内方に折り曲げられて、ほぼ逆Ｌ字形の横断面を有する吊下部１４を形成している。二枚重ねになっている部分１２は、更に、その裾縁が延長されて、ほぼＬ字形の横断面を有する取付片部１６を形成している。取付片部１６の先端は、図１に示されるように、内方に折り返されている。
【０００９】
また、長尺屋根板１０は、他方の縁部が折り立てられている。折り立てられた部分１８は、その先端１８ａが横向き外方に折り曲げられて、ほぼ逆Ｌ字形の横断面を有する被接部２０を形成している。折り立てられた部分１８は、更に、その裾縁が延長され、下方に折り返されて引掛縁２２となっている。
【００１０】
長尺屋根板１０の被接部２０には、長尺屋根板１０の長手方向に延び、下方に突出した突出部２４が設けられている。なお、図１では、突出部２４が半円形の横断面形状を有するものとして図示されているが、他の形状、例えば台形（図２（ａ）参照）や三角形（図２（ｂ）参照）の横断面を有するものとして形成してもよい。
【００１１】
次に、以上のように構成された長尺屋根板１０を使用した横葺き屋根の葺き方法について説明する。まず、葺こうとする屋根Ｒの上に、吊下部１４が上辺となり被接部２０が下辺となるように、第１の長尺屋根板１０を配置し、釘２６を用いて取付片部１６を屋根Ｒに固定するとともに、被接部２０に防水テープ２８を貼る。
【００１２】
次いで、第２の長尺屋根板１０を第１の長尺屋根板１０の上側に置き、図３に示されるように、第２の長尺屋根板１０の引掛縁２２を第１の長尺屋根板１０の吊下部１４の先端に引っ掛けた状態で、第２の長尺屋根板１０を倒して屋根Ｒに密着させ、第２の長尺屋根板１０の取付片部１６を釘２６で屋根Ｒに固定する。しかる後、ハゼ締機（図示せず）等を用いて第２の長尺屋根板１０の引掛縁２２を第１の長尺屋根板１０の吊下部１４に締め付ける。
【００１３】
防水テープ２８としては通常、ブチルゴム系のテープが用いられる。ブチルゴム系のテープは、−５°Ｃ以下の低温になると接着力が低下するが、本発明の長尺屋根板１０では、被接部２０に設けた突出部２４が防水テープ２８に食い込み、防水テープ２８を吊下部１４に押付けるので、防水テープ２８がしっかりと接着され、所望の防水効果が得られる。また、突出部２４には、補強効果を期待することもできる。
【００１４】
以上の作業を繰り返すことにより、葺き作業を実施することができる。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【００１６】
たとえば、前記実施の形態では、被接部２０に設けられている突出部２４は１つであるが、複数の突出部２４を被接部２０に設けてもよい。
【００１７】
【発明の効果】
本発明によれば、長尺屋根板１０の被接部２０に突出部２４を設けたことにより、防水テープ２８の接着効果を高めることができるとともに、被接部２０の強度を高めることもできる。
【図面の簡単な説明】
【図１】本発明の好ましい実施の形態に係る長尺屋根板を示した斜視図である。
【図２】図１の長尺屋根板の突出部の変形例を示した拡大図である。
【図３】図１の長尺屋根板を使用した葺き方法の途中工程を示した概略図である。
【図４】図１の長尺屋根板を使用した葺き方法の完成状態を示した概略図である。
【符号の説明】
１０  長尺屋根板
１２  二枚重ねになっている部分
１４  吊下部
１６  取付片部
１８  折り立てられた部分
２０  被接部
２２  引掛縁
２４  突出部
２６  釘
２８  防水テープ
Ｒ    屋根
【図１】
0003623470.tif 000002
【図２】
0003623470.tif 000003
【図３】
0003623470.tif 000004
【図４】
0003623470.tif 000005